(57)【要約】【課題】本願発明の目的は、組み立て作業が便利で不良品の発生率が低い上、低コスト化且つ軽量化できるバックライトモジュールの提供である。【解決手段】設置フレーム内において、入射面と出射面と反射面とを有する導光手段の入射面で、回路基板の一面に複数の発光ユニットが取り付けられている発光手段の発光を受けてから平面光に分散するように案内し、そして出射面で設置フレーム外へ出射するバックライトモジュールであって、設置フレーム内には、プラスチック材からなっており、且つ、入射面に面する第１の補助反射面を有すると共に、発光手段の複数の発光ユニットに挿通されるように配置構成されている第１の補助反射手段と、プラスチック材からなっており、且つ、出射面における入射面に隣接する周縁に面する第２の補助反射面を有するように配置構成されている第２の補助反射手段と、を備えているバックライトモジュールを提供する。【選択図】図１
2012089445.tif 000002
【特許請求の範囲】
【請求項１】
設置フレーム内において、入射面と出射面と反射面とを有する導光手段の前記入射面で、回路基板の一面に複数の発光ユニットが取り付けられている発光手段の発光を受けてから平面光に分散するように案内し、そして前記出射面で前記設置フレーム外へ出射するバックライトモジュールであって、
前記設置フレーム内には、更に、
プラスチック材からなっており、且つ、前記入射面に面する第１の補助反射面を有すると共に、前記発光手段の前記複数の発光ユニットに挿通されるように配置構成されている第１の補助反射手段と、
プラスチック材からなっており、且つ、前記出射面における前記入射面に隣接する周縁に面する第２の補助反射面を有するように配置構成されている第２の補助反射手段と、
を備えている補助反射機構が配置されていることを特徴とするバックライトモジュール。
【請求項２】
前記第１の補助反射手段と前記第２の補助反射手段とは、一体的に構成されていると共に、それぞれが有する補助反射面が互いに直交していることを特徴とする請求項１のバックライトモジュール。
【請求項３】
前記第１の補助反射手段は、第１の支持シートと、前記第１の支持シートに貼り付けられている第１の反射フィルムとからなり、前記第１の補助反射面は、前記第１の反射フィルムの露出面からなっており、
前記第２の補助反射手段は、第２の支持シートと、前記第２の支持シートに貼り付けられている第２の反射フィルムとからなり、前記第２の補助反射面は、前記第２の反射フィルムの露出面からなっていることを特徴とする請求項１のバックライトモジュール。
【請求項４】
前記第１の補助反射手段は、前記回路基板における、前記一面に塗布形成されている反射フィルムであることを特徴とする請求項１のバックライトモジュール。
【請求項５】
前記第２の補助反射手段は、前記設置フレームと前記出射面における前記入射面に隣接する周縁との間に介在している反射フィルムであることを特徴とする請求項１のバックライトモジュール。
【請求項６】
前記設置フレームと前記反射面との間に反射シートが介在していることを特徴とする請求項１のバックライトモジュール。
【発明の詳細な説明】
【技術分野】
【０００１】
本発明は、バックライトモジュールに関し、特に、発光ダイオードを利用することに適し、且つ軽量化したバックライトモジュールに関する。
【背景技術】
【０００２】
液晶ディスプレイは、バックライトモジュールに冷陰極管を発光手段として用いるのが主流であったが、近年では小型化しやすい白色ＬＥＤも採用されるようになっている。
【０００３】
しかし、ライン状光源である冷陰極管を点光源であるＬＥＤに替えるには設計の変更が必要であり、例えばＬＥＤを一列に並べる上、それらを反射手段と共に保持する必要がある。
【０００４】
ところで、特許文献１ではポリエチレンテレフタラートシートに反射塗料を塗布してなる可撓性のある反射手段が提案されている。このような構成をバックライトモジュールの反射手段に採用すると、ＬＥＤの発光を集中させてより多くバックライトモジュールの導光手段に送ることができるが、可撓性を有しているため、変形し易く、ＬＥＤを一列に並べた部材を安定して保持できる構成に形成することは難しい。このため、業界では図５に示されているバックライトモジュールの構成が提案された。
【０００５】
このバックライトモジュール１は、金属フレーム１１と、金属フレーム１１内に配置され、一側に開口を有し、断面がコ字形に形成されている金属サポータ１２と、金属サポータ１２の底面（即ち前記開口の反対側にある面）に取り付けられている発光手段１３と、一側に開口を有する断面コ字形であり、且つ、その開口の反対側にある底壁１４５が発光手段１３の発光部１３２を露出させる通孔１４３を有するように形成されている上、側壁１４５が発光手段１３の回路基板１３１に当たるように、金属サポータ１２内に挟まれていて金属サポータ１２により支持されている反射シート１４と、金属フレーム１１と結合しているプラスチックフレーム１６と、金属フレーム１１とプラスチックフレーム１６とにより挟まれ、その一側面が発光手段１３の発光部１３２に面している導光手段１５とを有している。反射シート１４は、ポリエチレンテレフタラート層１４１と反射塗料層１４２とからなっており、反射塗料層１４２は発光手段１３の発光部１３２からの光を導光手段１５へ反射することができるように、ポリエチレンテレフタラート層１４１の、発光部１３２及び導光手段１５に向かっている面に塗布形成されている。
【０００６】
この構成により、可撓性材料により形成された反射シート１４が金属サポータ１２により支持されているので、組み立て作業が便利となり、不良品の発生率を効果的に抑えることができる。
【先行技術文献】
【特許文献】
【０００７】
【特許文献１】台湾実用新案公告第Ｍ３４４４４３号明細書
【発明の概要】
【発明が解決しようとする課題】
【０００８】
図５に示されている構成では可撓性を有する反射手段が変形し易いという問題を解決できたが、金属材料を多用するため、重量が重くなるという問題点がある。また、金属原料のコストは比較的高く、変動が多いため、安定供給という面からも問題がある。
【０００９】
上記問題に鑑みて、本発明は従来のＬＥＤ式バックライトモジュールを更に改良し、組み立て作業が便利で不良品の発生率が低い上、低コスト化且つ軽量化できる発光装置及び該発光装置を備えたバックライトモジュールの提供を目的とする。
【課題を解決するための手段】
【００１０】
上記目的を達成するために、本発明は、設置フレーム内において、入射面と出射面と反射面とを有する導光手段の前記入射面で、回路基板の一面に複数の発光ユニットが取り付けられている発光手段の発光を受けてから平面光に分散するように案内し、そして前記出射面で設置フレーム外へ出射するバックライトモジュールであって、前記設置フレーム内には、更に、
プラスチック材からなっており、且つ、前記入射面に面する第１の補助反射面を有すると共に、前記発光手段の前記複数の発光ユニットに挿通されるように配置構成されている第１の補助反射手段と、プラスチック材からなっており、且つ、前記出射面における前記入射面に隣接する周縁に面する第２の補助反射面を有するように配置構成されている第２の補助反射手段と、を備えている補助反射機構が配置されていることを特徴とするバックライトモジュールを提供する。
【００１１】
上記バックライトモジュールにおいて、前記第１の補助反射手段と前記第２の補助反射手段とは、一体的に構成されていると共に、それぞれが有する補助反射面が互いに直交するように構成することができる。
【００１２】
上記バックライトモジュールにおいて、前記第１の補助反射手段は、第１の支持シートと、前記第１の支持シートに貼り付けられている第１の反射フィルムとからなり、前記第１の補助反射面は、前記第１の反射フィルムの露出面からなり、前記第２の補助反射手段は、第２の支持シートと、前記第２の支持シートに貼り付けられている第２の反射フィルムとからなり、前記第２の補助反射面は、前記第２の反射フィルムの露出面からなるように構成することもできる。
【００１３】
上記バックライトモジュールにおいて、前記第１の補助反射手段は、前記回路基板における前記一面に塗布形成されている反射フィルムであるように構成することもできる。
【００１４】
上記バックライトモジュールにおいて、前記第２の補助反射手段は、前記設置フレームと前記出射面における前記入射面に隣接する周縁との間に介在している反射フィルムであるように構成することもできる。
【００１５】
上記バックライトモジュールにおいて、前記設置フレームと前記反射面との間に反射シートが介在していることが好ましい。
【発明の効果】
【００１６】
上記構成による本発明のバックライトモジュールは、金属サポータ内に発光手段の回路基板及び反射シートを設置する工程を必要とせず、組み立て作業がより簡便になり不良品の発生率も低い上、低コスト化且つ軽量化できるバックライトモジュールを提供することができる。
【図面の簡単な説明】
【００１７】
【図１】本発明のバックライトモジュールの第１の実施形態の構成が示されている分解図である。
【図２】本発明のバックライトモジュールの第１の実施形態の構成が示されている断面図である。
【図３】本発明のバックライトモジュールの第２の実施形態の構成が示されている断面図である。
【図４】本発明のバックライトモジュールの第３の実施形態の構成が示されている断面図である。
【図５】従来のバックライトモジュールの構成の一例が示されている断面図である。
【発明を実施するための形態】
【００１８】
以下、図面を参照しながら、本発明のバックライトモジュールの各好ましい実施形態について詳しく説明する。
【００１９】
図１及び図２では本発明のバックライトモジュールの第１の実施形態の構成が示され、図１は分解図であり、図２は断面図である。
【００２０】
図１及び図２に示されているように、本発明のバックライトモジュールは第１のフレーム体３１と第２のフレーム体３２とにより組み立てられ、第２のフレーム体３２側に開口が形成されている設置フレーム３内において、入射面５１１と出射面５１３と反射面５１２とを有する導光手段５１の入射面５１１で、回路基板４１の一面４１２に複数の発光ユニット４２が取り付けられている発光手段４の発光を受けてから平面光に分散するように案内し、そして出射面５１３である設置フレーム３の開口から出射するバックライトモジュールである。また、第１のフレーム体３１と導光手段５１の反射面５１２との間に反射シート６３が介在している。
【００２１】
設置フレーム３内には、更に、プラスチック材からなり、且つ、導光手段５１の入射面５１１に面する第１の補助反射面６１４を有していると共に、発光手段４の複数の発光ユニット４２にそれぞれ対応して挿通される複数の通孔６１３が形成されている第１の補助反射手段６１と、プラスチック材からなり、且つ、導光手段５１の出射面５１３における入射面５１１に隣接している周縁で第２のフレーム体３２により覆われている部分に面する第２の補助反射面６２４を有するように配置構成されている第２の補助反射手段６２と、を備えている補助反射機構６が組み込まれている。
【００２２】
この第１の実施形態において、第１の補助反射手段６１は第１の支持シート６１１と、第１の支持シート６１１に貼り付けられている第１の反射フィルム６１２とからなり、第１の補助反射面６１４は、第１の反射フィルム６１２の露出面により画成されるものである。第２の補助反射手段６２は、第２の支持シート６２１と、第２の支持シート６２１に貼り付けられている第２の反射フィルム６２２とからなり、第２の補助反射面６２４は、第２の反射フィルム６２２の露出面により画成されるものである。
【００２３】
また、第１の補助反射手段６１と第２の補助反射手段６２とは、一体的に構成されていると共に、それぞれが有する第１の補助反射面６１４と第２の補助反射面６２４とが互いに直交するように構成することができる。
【００２４】
図３では本発明のバックライトモジュールの第２の実施形態の構成が示されている。
図示されているように、この第２の実施形態は第１の実施形態と類似する構成を有しているため、以下はその相違点について詳しく説明する。
【００２５】
この第２の実施形態においては、第１の補助反射手段６１と第２の補助反射手段６２とが第１の実施形態と異なり、一体的にではなく、それぞれ独立的に配置されている。
【００２６】
第１の補助反射手段６１は第１の実施形態と同じように第１の支持シート６１１と、第１の支持シート６１１に貼り付けられている第１の反射フィルム６１２とにより構成されるが、第２の補助反射手段６２は、導光手段５１の出射面５１３における入射面５１１に隣接している周縁で第２のフレーム体３２により覆われている部分と第２のフレーム体３２との間に介在している反射フィルム６２３により構成されている。
【００２７】
図４では本発明のバックライトモジュールの第３の実施形態の構成が示されている。
図示されているように、この第３の実施形態は第２の実施形態と類似する構成を有しているため、以下はその相違点について詳しく説明する。
【００２８】
この第３の実施形態において、第１の補助反射手段６１は、発光手段４の回路基板４１における前記一面４１２に塗布形成されている反射フィルム６１５により構成されている。
第２の補助反射手段６２については、第２の実施形態と同じように、導光手段５１の出射面５１３における入射面５１１に隣接している周縁で第２のフレーム体３２により覆われている部分と第２のフレーム体３２との間に介在している反射フィルム６２３により構成されている。
【産業上の利用可能性】
【００２９】
上記構成による本発明のバックライトモジュールは、金属サポータ内に発光手段の回路基板及び反射シートを設置する工程も必要とせず、組み立て作業がより簡便になり不良品の発生率も低い上、低コスト化且つ軽量化できるバックライトモジュールを提供することができる。
【符号の説明】
【００３０】
３  設置フレーム
３１  第１のフレーム体
３２  第２のフレーム体
４  発光手段
４１  回路基板
４１２  一面
４２  発光ユニット
５１  導光手段
５１１  入射面
５１２  反射面
５１３  出射面
６  補助反射機構
６１  第１の補助反射手段
６１１  第１の支持シート
６１２  第１の反射フィルム
６１３  通孔
６１４  第１の補助反射面
６２  第２の補助反射手段
６２１  第２の支持シート
６２２  第２の反射フィルム
６２４  第２の補助反射面
６３  反射シート
【図１】
2012089445.tif 000003
【図２】
2012089445.tif 000004
【図３】
2012089445.tif 000005
【図４】
2012089445.tif 000006
【図５】
2012089445.tif 000007